(57)【要約】【課題】織物を入れた二枚のガラス板または二枚のアクリル樹脂板における空間部に織物における色彩とデザインの特性を損なうことなく、装飾性を目的することにより、織物の装飾性をもたらしたガラス板、またはアクリル樹脂板を多様な用途を有する家具に提供する。【解決手段】二枚のガラス板、または二枚のアクリル樹脂板の間にインテリア性の織物を配置して形成される空間部に充填して、ガラス板、またはアクリル樹脂板は少なくとも一枚に透明性の板ガラス、またはアクリル樹脂板であって、それらの厚さとして０．５ｍｍ〜５ｍｍのものに織物を挟圧して装飾材にして、家具の表面にデザイン性をもたせる部分に使用した装飾部分を家具に装着させる。【選択図】図６
0003116893.tif 000002
【実用新案登録請求の範囲】
【請求項１】
家具のデザイン性を増すために、家具の表面の一部に 少なくとも一方が透明性を持つガラス板あるいは透明アクリル樹脂板の間にインテリア性の織物を挟圧して、接合されている二枚のガラス板あるいはアクリル樹脂板中に織物を固定されている装飾部材を装入することを特徴とする織物入り装飾透明性板付家具。
【請求項２】
請求項１において二枚のガラス、あるいはアクリル樹脂板は少なくとも一枚の透明性の板であって、厚さとして０．５ｍｍ〜５ｍｍのものを使用した装飾部材を家具にデザイン性をもたせるために、家具の表面の一部分に使用することを特徴とする織物入り装飾透明板付家具
【請求項３】
請求項１において、インテリア性の織物は、絣、手織り布、デザイン布、装飾布、着物、帯等の織物であり、この織物は二枚のうち一枚を透明性であるガラス板あるいはアクリル樹脂板に挟めて、前記の装飾部材を使用した家具の表面にデザイン性をもたせることを特徴とする織物入り装飾透明性板付家具
【請求項４】
家具を独創性のあるデザインにするために、家具の表面の一部に 少なくとも一枚が透明性を持つガラス板あるいはアクリル樹脂板からなる２枚のガラス板あるいはアクリル樹脂板の間にインテリア性の織物を挟圧して、接着性の樹脂により接合されている二枚のガラス板あるいはアクリル樹脂板中に固定されている装飾部材を装入する織物入り装飾ガラス付家具として、タンス、戸棚、照明スタンド、本箱、コタツ、サイドボード、テーブルの装飾部に使用することを特徴とする織物入り装飾透明性板付家具。
【考案の詳細な説明】
【技術分野】
【０００１】
本考案は、装飾家具としてタンス、戸棚、行灯、照明スタンド、本箱、コタツ、サイドボード、テーブル、ドアガラス、テーブル板の表面板等として広範な用途を有する装飾性に優れた複層ガラス板、または複層アクリス樹脂板を使用するに織物入り装飾透明板付家具に関する。
【背景技術】
【０００２】
窓ガラス、ドアガラス等として照明や装飾、防音、断熱、結露防止等を目的としてガラス板同士、あるいはアクリル樹脂板同士を貼り合わせたものや、二枚のガラス板の間に空間を形成させた複層ガラス板が使用されている（特許文献１）。これらの複層ガラス板の場合、装飾のために模様を付ける場合の方法として行なわれている方法は、通常、ガラス板面への色付け処理によってインテリアとして家具に使用されている（特許文献２、特許文献３）。しかし、ガラス板面へ色付けすることは模様の耐久性に難があるし、ガラス板自体の強度が低下することは避けられない。又、二枚のガラス板の間に空間を設けた複層ガラス板の場合にも、その空間部を装飾目的に利用することはあまり行われていない（特許文献４）。
【０００３】
一般に、家具の表面板は、木材や合成樹脂材を主原料とした合成材料により平面形状に形成された平板の表面の変わりに、その平板と同形状をなす織物を入れた化粧ガラス板を装着して家具本体が装飾性を形成されている。家具の本体の意匠性が維持されている（特許文献４）
【特許文献１】特開平７−４１３３８号
【特許文献２】特開平１１−２６２４１７号
【特許文献３】特開２００２−３５３２７号
【特許文献４】特開平１０−５９７５１号
【特許文献５】特開２００１−３０１３３９７号
【考案の開示】
【考案が解決しようとする課題】
【０００４】
本考案は、二枚のガラス板およびアクリル樹脂板の間に織物を入れた複層ガラス板または複層アクリル樹脂板における該空間部に織物における色彩の特性を損うことなく装飾目的に有効利用することにより、家具に織物の装飾性をもたらすガラス板を多様な用途を有する家具にデザイン性の複層ガラス板を提供することを目的とするものである。
【０００５】
従来の家具の表面の板は、平板の表面を覆う化粧板やデザイン性の木製の板、塗装された板が使用されていた。家具の表面の板の模様を変えるだけでは、意匠性に変化が乏しかった。さらに、絣、手織りの繊維などが挟まれた装飾の板、ガラス板またはアクリル樹脂板はほとんど使用されていない。また織物が張り合わされた家具の表面はその化粧板によって遮蔽されており、透明感がなく、意匠性に変化が乏しくなる。
【０００６】
本考案は、上記従来技術に存在する問題点に着目してなされたものである。その目的とするところは、透明感があり、斬新なデザインを有する織物の装飾性を備えた複層ガラス板、アクリル樹脂板を使用するに織物入り装飾透明板付家具を提供することにある。
【課題を解決するための手段】
【０００７】
家具のデザイン性を増すために、家具の表面の一部に 少なくとも一方が透明なガラス板から成る２枚のガラス板、またはアクリル樹脂板の間にインテリア性の織物を配置して形成される空間部に充填して、樹脂により接合されている二枚のガラス板中に織物を固定されている装飾部材を装入する。また二枚のガラス板、またはアクリル樹脂板は少なくとも１枚に透明性の板ガラス、またはアクリル樹脂板であって、それらの厚さとして０．５ｍｍ〜５ｍｍのものを使用して、家具の表面にデザイン性をもたせる部分に使用する。これらのカラス板、あるいはアクリル樹脂板の厚さは上記の範囲は使用が難しい。
【０００８】
インテリア性の織物は、絣、手織り布、デザイン布、装飾布、着物、帯の繊維で、二枚のガラス板、あるいはアクリル樹脂板に挟める家具の表面にデザイン性をもたせる部分に使用する。
インテリア性の織物を二枚のガラス板、またはアクリル樹脂板に挟めて接着樹脂による接合を行うこともできる。これらの接着の樹脂として、エポキシ樹脂のシート、および液状エポキシ樹脂、シリコン樹脂ウレタン樹脂であり、接着剤によって接着された織物のデザイン性のガラス板、またはアクリル樹脂板を家具の表面に使用することができる。
【０００９】
家具のデザイン性を増すために、家具の表面の一部に 少なくとも一方が透明なガラス板、またはアクリル樹脂板から成る２枚のガラス板、またはアクリル樹脂板の間にインテリア性の織物を配置して形成される空間部に充填して、樹脂により接合されている二枚のガラス板中に固定されている装飾部材を装入する織物入り装飾透明板付家具としてタンス、戸棚、照明スタンド、本箱、コタツ、サイドボード、テーブルに使用することを織物入り装飾ガラス付家具。本発明の複層ガラス板、またはアクリル樹脂板は、少なくとも一方は透明ガラス板、またはアクリル樹脂板から成る２枚のガラス板、またはアクリル樹脂板の間にスペーサを配置して形成した密閉空間部に配置した装飾部材を、該空間部に注入し硬化させたエポキシ樹脂などの接着効果によって固定させた構造を有する。
【００１０】
上記の目的を達成するために、考案の家具の表面にデザイン性の二枚の織物入りガラス板、またはアクリル樹脂板では、二枚のガラス板、またはアクリル樹脂板の間に接着部材を介装して、織物を入れた装飾性構成したものである。前記二枚のガラス板、またはアクリル樹脂板の間に連結部材とは別部材で、内側に透孔を有する補強板を介装するものでもよい。
【００１１】
「作用」本考案のガラス板の使用場合には、二枚のガラス板の間の空間部を満たしている織物と接着用樹脂がガラス板の装飾部自体の強度を増大させる働きをする。又、該空間部の任意の位置にデザイン模様部材を立体的に配置、固定することができることから、インテリヤア性にすぐれた透明性と合わせて模様部材に立体感を与えている。織物の模様部材を天然、又は合成のものから適宜採択することにより、多様な用途に適応できる織物の装飾性にすぐれた織物入りである二枚のガラス板あるいはアクリル樹脂板からなる装飾部を家具に提供することを可能にする。
【００１２】
以下に、図面を参照して本考案の二枚のアクリル樹脂、ガラス板を挟圧によりデザイン性の織物を装飾材にすることについて説明するが、本発明は以下の実施例に限定されるものではない
【考案の効果】
【００１３】
詳述した考案の織物いり二枚のアクリル樹脂板、あるいはガラス板間ガラス板は、エポキシ樹脂が模様部材をその外観を何ら損うことなく、立体的にアクリル樹脂板、あるいはガラス板間に配置することを可能としたものであり、そのすぐれた強度を必要とする家具用装飾ガラス板としてのみならず、多様な用途に対応した装飾性を備える装飾になっているガラス板間、あるいはアクリル樹脂板を適宜提供することを可能としたものである。
【実施例１】
【００１４】
久留米絣の織物入りガラス板装飾材の製作
エポキシ樹脂の接着剤（化学反応形接着剤）を刷毛により久留米絣の布（寸法幅２００ｍｍ〜長さ５００ｍｍ）に均一に表面に薄く塗布した唐草模様の久留米絣織物に２ｍｍの厚さの透明ガサス板二枚に挟み、ガラス面から圧搾して接着性をよくする。二枚のガラス板を留め部で固定して３時間放置する。このものが久留米絣の織物入りガラス板装飾材になる。
【実施例２】
【００１５】
博多織りの織物入りアクリル樹脂板装飾材の製作
博多織りの布（寸法幅３００ｍｍ、長さ３００ｍｍ）の表面に均一にして、透明性の０．５ｍｍの厚さであるアクリル樹脂板の二枚で挟み圧搾して固定する。二枚のアクリル樹脂の板は留め具で固定するが、圧力を加えて湾曲に曲げて所定Rの形状にして使用する。
【実施例３】
【００１６】
和タンスの扉に使用された織物入りガラス板装飾材付家具（図４）
タンスの内装は桐材を使用し、外装材は日本独特の欅材ツキ板を使用している。タンス内外部の引出・棚板・仕切板・地板・天板・台輪板・側板・背板等を蟻組・ダボ方式などボンド釘を使った工法で組立て製作する。  又、外装はタンス本体のデザインや強度及びインテリア性の為に装飾金具を使用し、スライド扉やフスマ戸の枠組の中に織物を挟み込んで組立て、扉部分に実施例１で製作した織物入りガラス板装飾材を使用して、図４に示すような和タンスの扉に使用された織物入りガラス板装飾材付家具にした。
【実施例４】
【００１７】
実施例２の博多織り織物入りアクリル樹脂板装飾材を使用したタンス（図６）
タンスの内装は桐材を使用し、外装材は日本独特の欅材ツキ板を使用している。タンス内外部の引出・棚板・仕切板・地板・天板・台輪板・側板・背板等を蟻組・ダボ方式などボンド釘を使った工法で組立て製作する。  又、外装はタンス本体のデザインや強度及びインテリア性の為に装飾金具を使用し、オープン式Ｒ型状扉の中に実施例２で製作した博多織りを挟み込んで組立てた図４に示すようなアクリル樹脂板の装飾材を着装したタンスにした。
【実施例５】
【００１８】
久留米絣織物入りガラス板装飾材を使用した行灯（図５）
欅・ブナ・ニレ・ナラ材等の家具材を使用し、格子状にホゾ組・アリ組等で組み上げ、その外側の柱の間においてガラス板に久留米絣を挟み込み、行灯の内部から久留米絣織物入りガラス板装飾材を使用した行灯にした。この行灯は図５に示すように久留米絣のデザインの照明により灯りが浮き出るように組み上げた。  
【考案を実施するための最良の形態】
【００１９】
以下、本発明を具体化した実施形態を図１〜図５に従って説明する。図１〜図２に示すように、二枚のアクリル樹脂板、またはガラス板としての上部透明性の板は、強化のアクリル樹脂、またはガラス製で無色透明に形成されている。この上部ガラス板は種々の形状である板状であり、その角面は面取りされている。
【００２０】
この考案は、以上のように家具の織物自身のデザインの構成において家具の表面におけるデザインを特徴づけ、今までにない家具に日本古風な織物を貼り付けたような斬新なデザインを有する家具を提供できることができた。
【図面の簡単な説明】
【００２１】
【図１】織物入装飾木枠付扉
【図２】博多織り織物入装飾合せガラス板
【図３】刺繍織物入装飾木枠付フスマ戸
【図４】久留米絣入スライド式扉（タンス組込）
【図５】織物入り行灯（加賀友禅織物入）
【図６】織物を挟み込んだＲ型状の扉の断面（和風タンス本体）
【符号の説明】
【００２２】
１．久留米絣入ガラス木枠付扉
２．織物入装飾合せガラス板
３．透明ガラス
４．織物
５．ガラス
６．木型枠にセットされた織物入装飾材
７．和タンスの扉等に使用された織物入装飾材付家具
８．久留米絣又は加賀友禅織物
９．ガラス板
10．行灯
11．アクリル樹脂板
12．加賀友禅又は久留米絣
【図１】
0003116893.tif 000003
【図２】
0003116893.tif 000004
【図３】
0003116893.tif 000005
【図４】
0003116893.tif 000006
【図５】
0003116893.tif 000007
【図６】
0003116893.tif 000008